(57)【要約】【課題】直管ランプの脱落を防止でき直管ランプの着脱作業を容易にできるランプソケット、およびこのようなランプソケットを備えた照明器具を提供することを課題とする。【解決手段】実施形態に係るランプソケット２０は、直管ランプの端部に設けたプラグを受け入れるスロット２３ａを表面に有するソケット本体２３と；ソケット本体の表面に隙間Ｓを介して対向し、スロットを覆う閉じ位置とスロットを開放する開位置との間で直管ランプの長手方向にスライド可能に設けられ、隙間に対向する内面と反対の外面に嵌合リブ２４ａを備え、隙間を狭める方向に弾性変形可能なカバー２１と；カバーを閉じ位置にスライドさせたとき嵌合リブと嵌合してカバーの長手方向への移動を規制する切欠き部２６ａを備えた取り付けベース２２と；を有する。【選択図】      図３
2017084586.tif 000002
【特許請求の範囲】
【請求項１】
直管ランプの端部に設けたプラグを受け入れるスロットを表面に有するソケット本体と；
上記ソケット本体の上記表面に隙間を介して対向し、上記スロットを覆う閉じ位置と上記スロットを開放する開位置との間で上記直管ランプの長手方向にスライド可能に設けられ、上記隙間に対向する内面と反対の外面に第１嵌合部を備え、上記隙間を狭める方向に弾性変形可能なカバーと；
上記カバーを上記閉じ位置にスライドさせたとき上記第１嵌合部と嵌合して上記カバーの上記長手方向への移動を規制する第２嵌合部を備えたベース部材と；
を有するランプソケット。
【請求項２】
上記ベース部材は、さらに、上記カバーを上記開位置へスライドさせたときに上記第１嵌合部と嵌合して上記カバーの上記長手方向への移動を規制する第３嵌合部を備える、
請求項１のランプソケット。
【請求項３】
上記カバーは、上記長手方向に延びたスライド突起を有し、
上記ベース部材は、上記スライド突起をスライド可能に受け入れるスライド孔を有する、
請求項１または請求項２のランプソケット。
【請求項４】
長手方向の両端にプラグを備えた直管ランプと；
上記直管ランプの上記プラグと接続するランプソケットと；を備え、
上記ランプソケットは、
上記プラグを受け入れるスロットを表面に有するソケット本体と；
上記ソケット本体の上記表面に隙間を介して対向し、上記スロットを覆う閉じ位置と上記スロットを開放する開位置との間で上記直管ランプの長手方向にスライド可能に設けられ、上記隙間に対向する内面と反対の外面に第１嵌合部を備え、上記隙間を狭める方向に弾性変形可能なカバーと；
上記カバーを上記閉じ位置にスライドさせたとき上記第１嵌合部と嵌合して上記カバーの上記長手方向への移動を規制する第２嵌合部を備えたベース部材と；
を有する照明器具。
【請求項５】
上記ベース部材は、さらに、上記カバーを上記開位置へスライドさせたときに上記第１嵌合部と嵌合して上記カバーの上記長手方向への移動を規制する第３嵌合部を備える、
請求項４の照明器具。
【請求項６】
上記カバーは、上記長手方向に延びたスライド突起を有し、
上記ベース部材は、上記スライド突起をスライド可能に受け入れるスライド孔を有する、
請求項４または請求項５の照明器具。
【発明の詳細な説明】
【技術分野】
【０００１】
本発明の実施形態は、直管ランプの両端を支持するランプソケット、およびこのランプソケットを備えた照明器具に関する。
【背景技術】
【０００２】
直管ランプの長手方向の両端には、給電のためのプラグがそれぞれ設けられている。一方、直管ランプを取り付ける照明器具の本体側には、直管ランプの両端にあるプラグに電気的に接続するとともに直管ランプの両端を機械的に支持するための一対のランプソケットが設けられている。直管ランプをランプソケットに取り付ける場合、プラグをランプソケットのスロットに挿入し、直管ランプを約９０°回転させる。
【０００３】
例えば、この種の照明器具を鉄道車両に取り付けると、振動により直管ランプが回転してランプソケットから外れて脱落する可能性がある。照明カバーを持たない直管ランプがむき出しの照明器具では、直管ランプがランプソケットから脱落すると、直管ランプがそのまま落下してしまう。
【０００４】
このような不具合を防止するため、直管ランプのプラグをランプソケットに接続した状態で、ランプソケットを全体的に覆うカバーを備えた照明器具が知られている。カバーは、振動により回転した直管ランプのプラグがランプソケットのスロットから脱落しないようにプラグを支える。
【先行技術文献】
【特許文献】
【０００５】
【特許文献１】特開２０１３−１１４８１４号公報
【発明の概要】
【発明が解決しようとする課題】
【０００６】
例えば、特許文献１の照明器具は、カバーを直管ランプの長手方向にスライドさせて、プラグを受け入れたランプソケットのスロットを閉じることで、直管ランプの脱落を防止している。しかし、特許文献１の照明器具では、スロットを開放する位置にカバーをスライドさせるとき、スライド方向の端部にある解除ボタンを押しながらカバーを持ってボタンの押圧方向と逆方向へカバーをスライドさせる必要があり、カバーを開放位置へスライドさせる作業が難しく作業性が悪い。
【０００７】
よって、直管ランプの脱落を防止でき直管ランプの着脱作業を容易にできるランプソケット、およびこのようなランプソケットを備えた照明器具の開発が望まれている。
【課題を解決するための手段】
【０００８】
実施形態に係るランプソケットは、直管ランプの端部に設けたプラグを受け入れるスロットを表面に有するソケット本体と；ソケット本体の表面に隙間を介して対向し、スロットを覆う閉じ位置とスロットを開放する開位置との間で直管ランプの長手方向にスライド可能に設けられ、隙間に対向する内面と反対の外面に第１嵌合部を備え、隙間を狭める方向に弾性変形可能なカバーと；カバーを閉じ位置にスライドさせたとき第１嵌合部と嵌合してカバーの長手方向への移動を規制する第２嵌合部を備えたベース部材と；を有する。
【発明の効果】
【０００９】
本発明によれば、直管ランプの脱落を防止でき直管ランプの着脱作業を容易にできる。
【図面の簡単な説明】
【００１０】
【図１】図１は、実施形態に係る照明器具の要部を拡大した部分拡大斜視図である。
【図２】図２は、図１の照明器具の器具本体のベース板を示す部分拡大斜視図である。
【図３】図３は、図１のランプソケットの正面図である。
【図４】図４は、図１のランプソケットの取り付けベースを示す斜視図である。
【図５】図５は、図１のランプソケットのカバーを示す斜視図である。
【図６】図６は、図４の取り付けベースとソケット本体を組み合わせた組立体を示す斜視図である。
【発明を実施するための形態】
【００１１】
以下、図面を参照しながら実施形態について詳細に説明する。  
図１は、照明器具１００の要部を部分的に拡大した斜視図である。照明器具１００は、例えば鉄道車両の天井に取り付けられる器具本体１０と、直管ランプ３０と、を含む。直管ランプ３０は、例えばＬＥＤ光源（図示せず）を備えた基板を内部に収容配置している。器具本体１０は、直管ランプ３０を着脱可能に取り付けるため長手方向に互いに離間した一対のランプソケット２０（図１では一方のランプソケット２０のみを図示）を有する。図１では、直管ランプ３０をランプソケット２０から取り外した状態を示してある。
【００１２】
器具本体１０は、天井などの取り付け対象物に対向するベース板１１、直管ランプ３０に対向する反射板１２、およびここでは図示しない一対の端板を有する。ベース板１１の天井側の裏面には、図示しない電源ユニットや端子ボックスが取り付けられている。このため、天井には、電源ユニットや端子ボックスを受け入れるための凹所（図示せず）が設けられている。
【００１３】
図２は、ベース板１１を反射板１２側から見た斜視図である。ベース板１１は、略矩形の金属板を対向する一対の長辺に沿って２箇所で折り曲げた略Ｕ字形の断面形状を有する。ベース板１１の天井と平行な底壁の内面１１ａには、反射板１２をネジ１２ａにより締結固定するための取り付けフレーム１３が固設されている。
【００１４】
取り付けフレーム１３は、例えば一枚の金属板を形状加工して折り曲げたものであり、いわゆるハット形の断面形状を有する。取り付けフレーム１３は、ネジ１２ａを螺合するためのネジ孔１３ａを有する。取り付けフレーム１３は、ベース板１１の長手方向に沿って離間した複数個所（本実施形態では２箇所）に設けられている。
【００１５】
また、ベース板１１の内面１１ａには、ランプソケット２０を取り付けるための支持フレーム１４が固設されている。支持フレーム１４は、ベース板１１の長手方向の両端近くにそれぞれ設けられている。支持フレーム１４は、例えば一枚の金属板を形状加工して折り曲げた構造を有し、いわゆるハット形の断面形状を有する。
【００１６】
支持フレーム１４は、ベース板１１から離間した内面１１ａと平行な壁部を有する。この壁部には、器具本体１０の長手方向の一端から壁部を切り欠いた矩形の開口部１４ａが設けられている。言い換えると、ベース板１１の内面１１ａから離間した壁部に開口部１４ａを設けることで、開口部１４ａの幅方向の両側にベース板１１の長手方向に延設された２枚の細長い板状の支持壁部１４ｂが設けられている。そして、開口部１４ａよりベース板１１の端部側には、内面１１ａと平行な壁部の端縁から内面１１ａに向けて略直角に折り曲げられた突出片部１４ｃが設けられている。
【００１７】
取り付けフレーム１３および支持フレーム１４は、例えばスポット溶接によりベース板１１の内面１１ａに固定される。ベース板１１は、この他に、ランプソケット２０の図示しない電極のための図示しない配線ケーブルを挿通するための図示しないケーブル孔や、天井側から垂設された図示しないボルトを挿通するための図示しないボルト孔などを有する。
【００１８】
反射板１２は、略矩形の金属板をその長辺に沿った２箇所で折り曲げた略Ｕ字形の断面形状を有する。反射板１２は、長手方向に沿った２つの側壁１２ｂをベース板１１の２つの側壁１１ｂの外側に重ねるようにベース板１１と組み合わされ、複数本のネジ１２ａを用いて取り付けフレーム１３に締結固定される。つまり、ベース板１１と反射板１２を組み合わせた組立体は、矩形断面の筒状に形成される。そして、組立体の長手方向の両端にある矩形の開口が図示しない２つの端板によって塞がれる。
【００１９】
反射板１２は、ネジ１２ａを挿通するためのネジ挿通孔１２ｃ、および一対のランプソケット２０をそれぞれ通すための一対の開口部１２ｄを有する。開口部１２ｄは、ランプソケット２０の後述するカバー２１を閉じた状態でランプソケット２０を挿通可能な大きさを有する。反面、開口部１２ｄは、カバー２１を開位置へスライドさせた状態（図１の状態）で、ランプソケット２０を挿通不能な大きさを有する。反射板１２の少なくとも直管ランプ３０側の表面は、白色塗装が施されている。
【００２０】
直管ランプ３０は、円筒状の細長いランプ本体３１、およびランプ本体３１の長手方向の両端から突出したそれぞれ２本の給電のためのプラグ３２を有する。ランプ本体３１は、図示しない細長い矩形の光源基板を内部に収容配置している。光源基板は、その一方の面に複数の図示しないＬＥＤを備えている。そして、複数のＬＥＤが鉛直下方に向く姿勢で直管ランプ３０が器具本体１０に取り付けられる。２本のプラグ３２の先端は、互いに離間する方向に直角に折り曲げられている。
【００２１】
一対のランプソケット２０は、それぞれ、直管ランプ３０の長手方向の両端から突設されたプラグ３２を電気的に接続するとともに、直管ランプ３０の両端を機械的に支持する。一対のランプソケット２０間の距離は、直管ランプ３０のランプ本体３１の長さよりわずかに大きい。以下、本実施形態のランプソケット２０について、主に図３〜図６を参照して説明する。
【００２２】
図３は、一方のランプソケット２０を他方のランプソケット（図示せず）側から見た側面図である。図４は、ランプソケット２０の取り付けベース２２（ベース部材）を示す斜視図である。図５は、ランプソケット２０のカバー２１を示す斜視図である。図６は、図４の取り付けベース２２とソケット本体２３を組み合わせた組立体を示す斜視図である。以下の説明では、一方のランプソケット２０から他方のランプソケットに向かう長手方向をＸ方向とし、床から天井に向かう鉛直上方をＹ方向とし、Ｘ方向およびＹ方向と直交する幅方向をＺ方向とする。
【００２３】
ランプソケット２０は、ソケット本体２３を支持フレーム１４に取り付けるための取り付けベース２２（図４）と、この取り付けベース２２に対して器具本体１０の長手方向に沿ってスライド可能に取り付けられたカバー２１（図５）と、を有する。ソケット本体２３は、その表面に、直管ランプ３０の２本のプラグ３２を受け入れるスロット２３ａを有する。カバー２１は、閉じ位置へスライドさせた状態で、ソケット本体２３のスロット２３ａを覆う。ソケット本体２３の構造は周知のものであるため、ここではその詳細な説明を省略する。
【００２４】
図４に示すように、取り付けベース２２は、幅方向（Ｚ方向）の外側に、長手方向（Ｘ方向）に延びた互いに平行な一対の取り付け溝２２ａを有する。一対の取り付け溝２２ａは、上述した器具本体１０の支持フレーム１４の一対の支持壁部１４ｂに嵌合する。つまり、一対の取り付け溝２２ａは、取り付けベース２２の幅方向の外側から凹んで設けられており、支持フレーム１４の一対の支持壁部１４ｂをそれぞれ受け入れる。
【００２５】
取り付けベース２２を支持フレーム１４に取り付ける場合、器具本体１０の長手方向に沿って器具本体１０の内側から外側に向けて取り付けベース２２をスライドさせ、一対の取り付け溝２２ａ内に一対の支持壁部１４ｂをそれぞれ挿通させ、取り付けベース２２を支持フレーム１４の開口部１４ａに嵌め込む。このとき、支持フレーム１４の一対の支持壁部１４ｂの裏面側に設けた複数の突起１４ｄが取り付けベース２２の取り付け溝２２ａの内面に押し付けられ、両者の間に摩擦力を発生させて取り付けベース２２のスライドを防止する。
【００２６】
また、取り付けベース２２は、ソケット本体２３のスロット２３ａから離間した基端部側を受け入れる凹部２２ｂを有する。凹部２２ｂは、図６に示すようにソケット本体２３を取り付けベース２２に取り付けるため、長手方向内側を向く面が大きく開口している。凹部２２ｂの開口側には、凹部２２ｂ内に収容したソケット本体２３の縁に係合してソケット本体２３の凹部２２ｂからの脱落を防止するための係合爪２２ｃが設けられている。凹部２２ｂの一対の側面には、ソケット本体２３の一対のスライド溝２３ｂにそれぞれスライド可能に係合するスライド突起２２ｄが突設されている。
【００２７】
また、取り付けベース２２は、凹部２２ｂ内にソケット本体２３を取り付けた際に、ソケット本体２３の背面に当接する複数の当接面２２ｅを有する。各当接面２２ｅは、凹部２２ｂの内面に設けた複数のリブのＸ方向の端部にそれぞれ設けられている。このため、取り付けベース２２の凹部２２ｂ内にソケット本体２３を収容配置した状態（図６の状態）で、ソケット本体２３の背面が複数の当接面２２ｅに突き当てられ、ソケット本体２３と凹部２２ｂの底壁２２ｆとの間に空間が設けられる。
【００２８】
取り付けベース２２の底壁２２ｆには、カバー２１の後述するスライド突起２１ａ（図５）をスライド自在に受け入れるためのスライド孔２２ｇが設けられている。また、取り付けベース２２の底壁２２ｆには、工具孔２２ｈが設けられている。スライド孔２２ｇにカバー２１のスライド突起２１ａを挿通配置することで、カバー２１の取り付けベース２２に対するスライド姿勢を安定させることができる。工具孔２２は、取り付けベース２２の凹部２２ｂからソケット本体２３を取り外す際に工具などを挿入するための孔である。
【００２９】
さらに、取り付けベース２２は、カバー２１の後述する一対の係合突起２４をそれぞれスライド可能に受け入れる一対のスライド溝２５を有する。一対のスライド溝２５は、左右対称な形状を有し、凹部２２ｂの幅方向の両側で凹部２２ｂの内面から外方へ凹んで設けられ、Ｘ方向に延びている。各スライド溝２５の下端に沿ってＸ方向に延びた壁部２６には、２つの切欠き部２６ａ、２６ｂが互いに離間して設けられている。これら２つの切欠き部２６ａ、２６ｂにはカバー２１の係合突起２４と一体に設けた後述する嵌合リブ２４ａが嵌合される。
【００３０】
２つの切欠き部２６ａ、２６ｂのうち底壁２２ｆ側の切欠き部２６ｂのＸ方向の両側には、壁部２６を部分的に削った形状の傾斜面２６ｃ、２６ｃが設けられている。各傾斜面２６ｃは、凹部２２ｂの内面から鉛直下方に向けて幅方向の外側へ拡がる方向に傾斜している。これら傾斜面２６ｃは、取り付けベース２２のスライド溝２５にカバー２１の係合突起２４を嵌合する際に、係合突起２４の傾斜面２４ｂを接触させて案内する案内面として機能する。
【００３１】
図５に示すように、カバー２１は、ソケット本体２３の外形にならって湾曲した周壁２とソケット本体２３の背面に対向する底壁３とを有する。周壁２の両端部から上方に係合突起２４がそれぞれ一体に突設されている。底壁３の上端側の内面３ａからスライド突起２１ａが突設されている。また、周壁２の両端近くの外面２ａ側で係合突起２４の下方に隣接して、取り付けベース２２の壁部２６を受け入れるための一対の段部２７が設けられている。各段部２７の底壁３側の一端は閉じている。
【００３２】
また、カバー２１の周壁２は、ソケット本体２３を覆う内面２１ｂにＸ方向に沿う２本のリブ２８を有する。各リブ２８は、ソケット本体２３のスロット２３ａを間に挟んだ両側でソケット本体２３の表面に摺接する摺接リブ２８ａと、ソケット本体２３の背面に当接する当接リブ２８ｂと、を長手方向につなげた形状を有する。当接リブ２８ｂの摺接リブ２８ａ側のＸ方向の端面は、ソケット本体２３の背面に当接する当接面として機能する。
【００３３】
以下、上述したランプソケット２０の組み立て工程について説明する。  
まず、カバー２１の一対の係合突起２４を取り付けベース２２の内側の一対のスライド溝２５に嵌合し、取り付けベース２２とカバー２１を組み合わせる。このとき、カバー２１の底壁３の内面３ａから突出したスライド突起２１ａが取り付けベース２２の底壁２２ｆに干渉しないように、カバー２１を取り付けベース２２に対してＸ方向にずらして重ねる（図１の状態）。また、このとき、カバー２１の周壁２を内側にたわませるように指でつまんでわずかに変形させ、各スライド溝２５に隣接する壁部２６に設けた傾斜面２６ｃに沿ってカバー２１の係合突起２４の傾斜面２４ｂをスライドさせる。これにより、係合突起２４が壁部２６を乗り越えやすくなり、係合突起２４をスライド溝２５に嵌合し易くできる。
【００３４】
このように、カバー２１の係合突起２４を取り付けベース２２のスライド溝２５に嵌合させた状態で、係合突起２４に隣接する段部２７に取り付けベース２２の壁部２６が嵌合する。このとき、同時に、係合突起２４に対向して段部２７に設けた嵌合リブ２４ａ（第１嵌合部）が取り付けベース２２の段部２６に設けた切欠き部２６ｂ（第３嵌合部）に嵌合する。この状態で、係合突起２４のスライド溝２５に沿ったＸ方向への移動が規制され、カバー２１が開位置に係止される。ここで言う開位置とは、ソケット本体２３のスロット２３ａをカバー２１が覆わない位置である。
【００３５】
上述した開位置からソケット本体２３のスロット２３ａを覆う閉じ位置へカバー２１をスライドさせる場合、カバー２１の周壁２を外側から指でつまんでわずかに内側に変形させ、嵌合リブ２４ａの切欠き部２６ｂに対する嵌合を解除する。そして、この状態のまま、カバー２１を取り付けベース２２に対してスライドさせ、カバー２１を閉じ位置へ配置する。このとき、カバー２１の底壁３の内面３ａから突設されたスライド突起２１ａが取り付けベース２２の底壁２２ｆに設けたスライド孔２２ｇに沿ってスライドし、カバー２１のスライド姿勢を安定させる。カバー２１をスライドさせた後、指を離してカバー２１のたわみを無くすと、嵌合リブ２４ａが他方の切欠き部２６ａ（第２嵌合部）に嵌合し、カバー２１が閉じ位置に配置され、カバー２１が閉じ位置に係止される。ここで言う閉じ位置とは、ソケット本体２３のスロット２３ａをカバー２１が覆う位置である。
【００３６】
次に、図６に示すようにソケット本体２３を取り付けベース２２の凹部２２ｂに嵌め込む。このとき、カバー２１は上述したように取り付けベース２２と予め組み合わされていてもよく、カバー２１を取り付けベース２２に組み合わせる前にソケット本体２３を取り付けベース２２に取り付けてもよい（図６の状態）。つまり、カバー２１は、ソケット本体２３を取り付けベース２２の凹部２２ｂに嵌め込んだ後、取り付けベース２２に組み合わせることもできる。また、ソケット本体２３を取り付けベース２２に取り付ける際には、カバー２１は閉じ位置および開位置のいずれに配置しておいてもよい。
【００３７】
ソケット本体２３を取り付けベース２２の凹部２２ｂに嵌め込む場合、取り付けベース２２の凹部２２ｂに設けた一対のスライド突起２２ｄをソケット本体２３の一対のスライド溝２３ｂに挿通し、ソケット本体２３を取り付けベース２２に対してＸ方向にスライドさせ、ソケット本体２３の基端側を取り付けベース２２の凹部２２ｂ内へ嵌め込む。ソケット本体２３の背面を取り付けベース２２の複数の当接面２２ｅに当接させる位置までソケット本体２３を取り付けベース２２の凹部２２ｂ内へ押し込むと、取り付けベース２２の係合爪２２ｃがソケット本体２３の基端部の縁に係合し、ソケット本体２３の凹部２２ｂからの脱落を防止される。
【００３８】
以上のように組み立てたランプソケット２０は、以下のように器具本体１０に取り付けられる。  
ランプソケット２０を器具本体１０に取り付ける場合、まず、図２に示すように、反射板１２をベース板１１から取り外しておく。そして、図３に示すように、ランプソケット２０を支持フレーム１４に取り付ける。ここでは、ランプソケット２０を組み立てた後、ランプソケット２０を支持フレーム１４に取り付ける場合について説明するが、カバー２１および／或いはソケット本体２３を組み合わせる前の取り付けベース２２を支持フレーム１４に取り付けて、その後、取り付けベース２２にカバー２１および／或いはソケット本体２３を取り付けベース２２に取り付けるようにしてもよい。
【００３９】
いずれにしても、取り付けベース２２を支持フレーム１４に取り付ける場合、支持フレーム１４の一対の支持壁部１４ｂを取り付けベース２２の一対の取り付け溝２２ａに挿通し、取り付けベース２２をベース板１１の長手方向にスライドさせ、取り付けベース２２を支持フレーム１４の開口部１４ａに嵌め込む。このとき、取り付けベース２２の底壁２２ｆの背面に支持フレーム１４の開口部１４ａの縁が当接するまで取り付けベース２２をスライドさせる。この状態で、支持フレーム１４の突出片部１４ｃと取り付けベース２２の底壁ｆの背面との間に空間が設けられる。
【００４０】
上記のようにランプソケット２０を支持フレーム１４に取り付けた後、反射板１２をベース板１１に重ね合せてネジ１３ａにより締結固定する。このとき、反射板１２の開口部１２ｄにランプソケット２０が挿通される。このため、反射板１２を取り付ける際には、ランプソケット２０のカバー２１を閉じ位置に配置しておく必要がある。
【００４１】
次に、直管ランプ３０をランプソケット２０に対して着脱する動作について説明する。  
直管ランプ３０をランプソケット２０に取り付ける場合、図１に示すように、まず、カバー２１を開位置へスライドさせる。カバー２１をソケット本体２３に対してスライドさせる場合、カバー２１のスライド突起２１ａが取り付けベース２２のスライド孔２２ｇに沿ってスライドするとともに、カバー２１の内面２１ｂに設けた２本のリブ２８の摺接リブ２８ａがソケット本体２３の表面に摺接し、カバー２１のスライド動作を安定させることができる。
【００４２】
カバー２１を閉じ位置から開位置へスライドさせる場合、カバー２１を外側からつまんでわずかに変形させ、嵌合リブ２４ａと切欠き部２６ｂとの間の嵌合状態を解除する。そして、カバー２１を指でつまんだままの状態で、カバー２１を開位置へスライドさせる。つまり、作業者は、カバー２１をつまんだ指をそのまま移動させるだけでカバー２１をスライドさせることができ、カバー２１の開閉動作を容易にできる。このことは、カバー２１を開位置から閉じ位置へスライドさせるときも同様である。
【００４３】
カバー２１を開位置へスライドさせた状態で、直管ランプ３０のプラグ３２をソケット本体２３のスロット２３ａ内に挿入し、ランプ本体３１を約９０°回転させる。これにより、プラグ３２がランプソケット２０によって保持され、直管ランプ３０がランプソケット２０に取り付けられる。この後、直管ランプ３０の脱落を防止するため、カバー２１を閉じ位置へスライドさせる。
【００４４】
直管ランプ３０をランプソケット２０から取り外す場合、上述した取り付け動作と逆の動作をする。つまり、カバー２１を閉じ位置から開位置へスライドさせ、直管ランプ３０のランプ本体３１を回転させ、プラグ３２をスロット２３ａから抜き取る。この場合においても、カバー２１のスライド動作は、カバー２１をつまんで変形させた状態で移動させるだけで実施できる。
【００４５】
なお、上述したカバー２１の変形は、カバー２１の内面２１ｂとソケット本体２３の外表面との間に隙間Ｓ（図３参照）を設けることによって可能となる。つまり、この隙間Ｓがあることで、係合突起２４がソケット本体２３の外表面に接触するまでカバー２１の周壁２を内側に変形させることができ、嵌合リブ２４ａを切欠き部２６ａ、２６ｂから離間させることができる。逆に、隙間Ｓが非常に小さく、或いは隙間Ｓが無い場合には、嵌合リブ２４ａの切欠き部２６ａ、２６ｂに対する嵌合状態を解除することができず、カバー２１をスライドさせることができなくなる。
【００４６】
以上述べた実施形態のランプソケット２０、およびこのランプソケット２０を備えた照明器具１００によれば、ランプソケット２０のカバー２１をつまんで変形させた状態で所望する方向へ移動させるだけの簡単な動作により、直管ランプ３０の脱落を防止できるとともに、直管ランプ３０の着脱動作を容易にでき、利便性を向上させることができる。
【００４７】
上述した実施形態は、例として提示したものであり、発明の範囲を限定することは意図していない。上述した実施形態は、その他の様々な形態で実施されることが可能であり、発明の要旨を逸脱しない範囲で、種々の省略、置き換え、変更を行うことができる。上述した実施形態やその変形は、発明の範囲や要旨に含まれると同様に、特許請求の範囲に記載された発明とその均等の範囲に含まれるものである。
【符号の説明】
【００４８】
１０…器具本体、１１…ベース板、１２…反射板、１２ｄ…開口部、１４…支持フレーム、１４ｂ…支持壁部、１４ｄ…突起、２０…ランプソケット、２１…カバー、２１ａ…スライド突起、２１ｂ…内面、２２…取り付けベース、２２ｂ…凹部、２２ｃ…係合爪、２２ｇ…スライド孔、２３…ソケット本体、２３ａ…スロット、２３ｂ…スライド溝、２４…係合突起、２４ａ…嵌合リブ、２４ｂ…傾斜面、２５…スライド溝、２６ａ、２６ｂ…切欠き部、２６ｃ…傾斜面、２７…段部、２８…リブ、２８ａ…摺接リブ、３０…直管ランプ、３１…ランプ本体、３２…プラグ、１００…照明器具。
【図１】
2017084586.tif 000003
【図２】
2017084586.tif 000004
【図３】
2017084586.tif 000005
【図４】
2017084586.tif 000006
【図５】
2017084586.tif 000007
【図６】
2017084586.tif 000008